(57)【要約】【課題】寝台の本体は共通であり、その脚部の高さを、必要に応じて、選択できるようにし、じゅうたんや畳にへたりや凹みが生じることのない脚付き寝台と脚ユニットを提供する。【解決手段】寝台の床部周囲に設けた台枠１の４隅角部に対して脚部材２が装着された寝台において、脚部材２は、それぞれ、略Ｌ字形に接合された所要高さの一対の板状脚片２ａ，２ｂと、板状脚片２ａ，２ｂの下縁に跨がって下縁間を塞ぐように装着されて、床面に接する略三角形状の支持部材２ｃとから構成され、台枠１の二辺を構成する幕板１ａのコーナー接合部で、板状脚片２ａ，２ｂが外側から幕板に接するように着脱自在に装着される。【選択図】        図１
2005006684.tif 000002
【特許請求の範囲】
【請求項１】
寝台の床部周囲に設けた台枠の４隅部に対して脚部材が装着された寝台において、
前記脚部材は、それぞれ、略Ｌ字形に接合された、所要高さの一対の板状脚片と、該板状脚片の下縁に装着されて、床面に接する支持部材とから構成され、前記台枠の二辺を構成する幕板のコーナー接合部で、前記板状脚片が外側から前記幕板に装着される構成になることを特徴とする寝台。
【請求項２】
前記支持部材は、前記板状脚片の略Ｌ字形の２辺に跨がってその底面に設けられる略三角形状の板状部材から構成されていることを特徴とする請求項１に記載の寝台。
【請求項３】
前記台枠は、前記幕板の上面において結合される周縁部材を備えており、該周縁部材の外側縁を前記幕板の外側にフランジ状に張り出しており、この周縁部材の下面に上縁を接して、前記板状脚片を前記幕板の外周面に接するようにして装着していることを特徴とする請求項１又は２に記載の寝台。
【請求項４】
寝台の隅角部に対して装着される寝台用脚を構成する脚ユニットにおいて、
前記脚ユニットを構成する脚部材は、略Ｌ字形に接合された、所要高さの一対の板状脚片と、該板状脚片の略Ｌ字形の２辺に跨がってその底面を塞ぐように設けられた略三角形の板状部材により形成されていることを特徴とする寝台用脚ユニット。
【請求項５】
前記脚部材には、寝台の台枠の隅角部に対して、選択的に装着されるように、その前記板状脚片の高さが異なる複数のユニットが用意されていることを特徴とする請求項４に記載の寝台用脚ユニット。
【発明の詳細な説明】
【０００１】
【発明の属する技術分野】
本発明は、主として、木製の脚付き寝台と、その寝台の４隅に設けられる脚ユニットに関し、特に、寝台の床部周囲に設けた台枠の隅角部に対して装着される４個一組の脚ユニット及び該脚ユニットが装着された寝台に関するものである。
【０００２】
【従来の技術】
通常、和風建築物において、その和室や洋室に寝台を置く場合、家屋の内装に調和するように、木製の寝台が選択使用されている。しかし、寝台の置かれる場所が和室であるか、洋室であるかの違いによって、その寝台の床部の高さが不釣り合いになる場合が多い。そこで、和室では、ふとん仕様の脚の短いロータイプの寝台を、また、洋室では、マットレス仕様の脚の長いハイタイプの寝台を、選択することになる。
【０００３】
【発明が解決しようとする課題】
しかし、利用者側にとって、寝台の置かれる場所が和室から洋室に変更される場合、また、反対に、洋室から和室に変更される場合、更には、利用者の都合や趣向で、寝台の床部の高さを変更したい場合、寝台毎、取り替えが必要となり、不経済である。
また、生産者側にしても、需要者の要求に合わせて、脚高さの異なる寝台を、それぞれ用意することは、在庫数が多くなる点で不利となる。
【０００４】
さらに、従来の脚付き寝台では、棒状の脚部材を使用していたため、その先端部で、じゅうたんや畳にへたりや凹みが生じることが避けられなかった。
【０００５】
本発明は、上記事情に基づいてなされたもので、その目的とするところは、寝台の本体は共通であり、その脚部の高さを、必要に応じて、選択できるようにした脚付き寝台と、その脚ユニットを提供することにある。
【０００６】
さらに、本発明では、じゅうたんや畳にへたりや凹みが生じることのない脚付き寝台と、その脚ユニットを提供することを目的としている。
【０００７】
【課題を解決するための手段】
上記目的を達成するため、本発明は、図面の実施例に示すように、寝台の床部周囲に設けた台枠１の４隅部に対して脚部材２が装着された寝台１０１において、前記脚部材２は、それぞれ、略Ｌ字形に接合された、所要高さの一対の板状脚片２ａ，２ｂと、該板状脚片２ａ，２ｂの下縁に跨がって下縁間を塞ぐように装着されて、床面に接する平板状の支持部材２ｃとから構成され、前記台枠１の二辺を構成する幕板１ａのコーナー接合部で、前記板状脚片２ａ，２ｂが外側から前記幕板に接するように着脱自在に装着されることを特徴としている。
【０００８】
前記脚部材２は、上面と内面側を解放した略箱形とされ、その前記支持部材２ｃは、前記板状脚片２ａ，２ｂの略Ｌ字形の２辺に跨がってその底面を塞ぐように設けられる略三角形状の板状部材２ｃから構成されている。
【０００９】
このように脚部材２を略ボックス形の構造とすることで、寝台の重量が、支持部材２ｃにより面方向に分散され、じゅうたんや畳にへたりや凹みが生じることがなく、若しくは緩和される。
【００１０】
前記寝台１０１の台枠１は、前記幕板１ａの上面において結合される周縁部材１ｂを備えており、該周縁部材１ｂの外側縁を前記幕板１ａの外側にフランジ状に張り出しており、この周縁部材１ｂの下面に上縁を接して、前記板状脚片２ａ，２ｂを前記幕板１ａ外周に接するように装着している。
【００１１】
このような構成とすることで、脚部材２の内面が、幕板１ａの外面に接し、且つ、脚部材２の上面が周縁部材１ｂの下面に接することになり、その寝台１０１への装着が強固で安全である。また、その取付け組立も容易となる。
【００１２】
さらに、本発明は、寝台１０１の４隅角部に対して装着される寝台用脚を構成する脚ユニットにおいて、前記脚ユニットを構成する脚部材２は、略Ｌ字形に接合された、所要高さの一対の板状脚片２ａ，２ｂと、該板状脚片２ａ，２ｂの略Ｌ字形の２辺に跨がってその底面を塞ぐように設けられた略三角形状の板状部材２ｃにより形成されていることを特徴としている。
【００１３】
前記脚部材２には、寝台の台枠の隅角部に対して、選択的に装着されるように、その前記板状脚片２ａ，２ｂの高さが異なる複数のユニットが用意されていることを特徴とする。
【００１４】
このような構成にすることで、本発明では、寝台の脚部（脚部材２）の交換だけで、利用者は、容易に、所望の脚高さの寝台を手にすることができ、また、生産者も、脚高さの異なる寝台を、それぞれ、用意しなくても良いことから、在庫数を大幅に削減できるなどの利点が得られる。
【００１５】
【発明の実施の形態】
以下、本発明の実施の形態を、図面を参照して、具体的に説明する。この実施の形態での寝台１０１は、図１に示すように、木製の寝台１０１の床部周囲に設けた台枠１の隅角部に対して４個の脚部材２が装着されている。そして、脚部材２は、図２および図３に示すように、それぞれ、略Ｌ字形に接合された、所要高さの一対の板状脚片２ａ，２ｂと、該板状脚片の下縁に装着されて、床面に接する平板状の支持部材２ｃとから構成され、台枠１の二辺を構成する幕板１ａ，１ａのコーナー接合部で、板状脚片２ａ，２ｂが外側から幕板１ａ，１ａに接するように装着される構成になっている。
【００１６】
特に、本発明の実施の形態では、支持部材２ｃが、板状脚片２ａ，２ｂの下縁が対応する２辺となる略三角形状の板状部材から構成されている。また、台枠１が、幕板１ａの上面において結合される周縁部材１ｂを備えており、図３に示すように、周縁部材１ｂの外側縁を幕板１ａの外側にフランジ状に張り出している。この周縁部材１ｂの下面に上縁を接して、板状脚片２ａ，２ｂを幕板１ａ，１ａの外周面に接触させて装着する構成になっている。
【００１７】
このような構成によって、従来の柱状脚の支持構造とは異なり、台枠１の縁に沿って板状脚片２ａ，２ｂが、周縁部材１ｂの下支えとなり、また、コーナー接合部での幕板１ａ，１ａとの、幅広い接触で、寝台上の横揺れなどの振動に対して、十分な強度を確保できる。また、寝台が畳やカーペットの上に置かれても、支持部材２ｃが相当の接触面積を確保している関係で、寝台上の負荷が分散され、長期に亘って設置しても、凹みや、押し潰れなどの跡が残りにくい。
【００１８】
また、脚部材２には、その高さが異なる複数の４個一組のユニットが用意されていて、図４又は図５に示すように、寝台の台枠１の隅角部に対して選択的に装着されることで、和室向きに、あるいは、洋室向きに、適応することができる。この場合、本発明の好ましい実施の形態として、図１および図３に示すように、台枠１は、床部を構成する床板３の両端を、周縁部材１ｂよりも内側に張り出した幕板１ａの上縁で支持する構成になっている。
【００１９】
なお、支持面積を拡大するために、幕板１ａの内側には、添え部材４が、ねじ止めなどの取付け手段５で装着してあり、床板３に係る負荷を受けるようにしている。また、台枠１の前後の幕板１ａ，１ａに対しては、複数の梁部材６が架設してあって、床板３の中間を支持している。また、この実施の形態での寝台は、略Ｌ字形の金具よりなる結合具７および取付けねじよりなる取付け具８を介して、そのコーナー接合部の位置で、幕板１ａ，１ａの相互の接合を図っている。更には、床板３の相互間に間隙を設けて簀の子状に構成し、簀の子の間隔内に、活性炭などの消臭・殺菌効果のある脱臭殺菌剤を充填した、和紙などの通気性の袋（図示せず）を介装している。
【００２０】
図４（ａ）は、ロータイプの脚ユニットを構成する脚部材２を装着した態様であり、図４（ｂ）は、ハイタイプの脚ユニットを構成する脚部材２を装着した態様である。脚部材２は、幕板１ａの内面から螺締した木ネジなどの固定具９が、板状脚片２ａ，２ｂに螺締されることにより固定されている。図４（ａ）のロータイプの脚ユニットを用いた態様では、その脚部材２の支持部材２ｃの上面が、幕板１ａ，１ａの下面に略接して装着されている。
【００２１】
このような構造の寝台においては、寝台の置かれる場所が和室から洋室に変更される場合、また、反対に、洋室から和室に変更される場合、更には、利用者の都合や趣向で、寝台の床部の高さを変更したい場合、図４又は図５に示すように、寝台の脚部の交換だけで、利用者は、容易に、所望の脚高さの寝台を手にすることができ、また、生産者も、脚高さの異なる寝台を、それぞれ、用意しなくても良いことから、在庫数を大幅に削減できるなどの利点がある。
【００２２】
【発明の効果】
このようにして、本発明によれば、寝台の床部周囲に設けた台枠の隅角部に対して装着される４個の脚部材の交換だけで、利用者は、容易に、所望の脚高さの寝台を手にすることができ、また、生産者も脚高さの異なる寝台を、それぞれ、用意しなくても良いことから、在庫数を大幅に削減できるなどの利点がある。
【００２３】
また、本発明では、脚部材を略箱形に構成し、その底面の略三角形状の平板状支持部材を床面に設置させるようにしたので、寝台の重量が、支持部材により面方向に分散され、じゅうたんや畳にへたりや凹みが生じることがなく、若しくは緩和される。
【００２４】
さらに、脚部材の内面と上面が、寝台の幕板コーナー部の外周面と周縁部材の下面に接するようにして装着されることから、その固定が強固で、装着作業も容易である。
【図面の簡単な説明】
【図１】本発明の実施の形態を示す、寝台の全体の斜視図である。
【図２】同じく、寝台の台枠と、これに対する脚部材の取付け状況を示す斜視図である。
【図３】同じく、一部を分解して示すコーナー接合部の断面斜視図である。
【図４】同じく、ロータイプ（ａ）とハイタイプ（ｂ）の脚ユニットを用いた状態を示すコーナー接合部の背面斜視図である。
【図５】同じく、脚ユニットの交換の様態を示す斜視図である。
【符号の説明】
１０１    寝台
１    台枠
１ａ    幕板
１ｂ    周縁部材
２    脚部材
２ａ，２ｂ    板状脚片
２ｃ    支持部材
３    床板
４    添え部材
５    取付け手段
６    梁部材
７    結合具
８    取付け具
９    固定具
【図１】
2005006684.tif 000003
【図２】
2005006684.tif 000004
【図３】
2005006684.tif 000005
【図４】
2005006684.tif 000006
【図５】
2005006684.tif 000007